(57)【要約】      （修正有）【課題】  煩雑な作業を行うことなく物品を一つずつ容易に取り出すことができるディスペンサー付カートンを提供する。【解決手段】  カートンは、横にした柱状物品の側面を支持する底壁パネルと、相対向する一対の側壁パネルと、頂壁パネルと、頂壁パネル、底壁パネル、および側壁パネルで構成される筒状体の前端を構成する前壁パネルと、前端に形成されたディスペンサーと、カートンに取り付けられてカートンを前端に向かって傾斜させる傾斜手段とを備えている。ディスペンサーは、柱状物品のうち少なくとも一つをカートンから取り出すのに可能な大きさの開口であり、この開口は、前壁パネル、頂壁パネル、一対の側壁パネルのそれぞれの一部から構成される分離部Ｔをカートンから切離することにより形成され、傾斜手段は切離された分離部Ｔにより構成される。【選択図】        図２
2005053555.tif 000002
【特許請求の範囲】
【請求項１】
カートンと、このカートン内に収容される複数の柱状物品とからなるパッケージであって、
上記柱状物品は、横にした状態で一段に配列され、
上記カートンは上記柱状物品の側面を支持する底壁と、この底壁の側縁に接続された相対向する一対の側壁と、これら側壁どうしを接続する頂壁と、上記頂壁、底壁、および一対の側壁で構成される筒状体の前端を構成する前壁と、筒状体の後端を構成する後壁と、上記前端に形成されて上記柱状物品を上記カートンから取り出すのに使用されるディスペンサーと、上記カートンに取り付けられて上記カートンを上記前端に向かって傾斜させる傾斜手段とを備え、上記ディスペンサーは上記柱状物品のうち少なくとも一つをカートンから取り出すのに可能な大きさの開口であり、この開口は、上記前壁、頂壁、一対の側壁のそれぞれの一部から構成される分離部を上記カートンから切離することにより形成され、上記傾斜手段は切離された上記分離部により構成されていることを特徴とするディスペンサー付パッケージ。
【請求項２】
前記分離部が前記筒状体の後端近傍に取り付けられて前記傾斜手段を形成することを特徴とする請求項１に記載のディスペンサー付パッケージ。
【請求項３】
前記底壁および前記分離部に、両者の相対的位置を保持するための保持手段を設け、前記分離部は、側壁および底壁を挟むように取り付けられ、前記保持手段は、前記分離部に設けられた凸部と、前記底壁および前記前壁後壁のいずれかまたは両者の境界に設けられて上記凸部が挿入されるスリットとを備えることを特徴とする請求項１または２に記載のディスペンサー付パッケージ。
【発明の詳細な説明】
【技術分野】
【０００１】
本発明は、缶などの複数の物品を収容するカートンに係り、物品を個別に取り出すことができるディスペンサーを備えたカートンに関する。より具体的には、本発明は、物品を横に収容した状態でディスペンサーを使用するようにしたパッケージに関する。
【背景技術】
【０００２】
従来より、ソフトドリンク等の飲料などの物品を複数収容して流通や消費者の使用に供されるカートンが提供されている。消費者がそのような物品をカートン単位で購入した際には、カートンを破壊することなく物品を一つずつ取り出すことができれば便利である。
【０００３】
ＥＰ特許出願公開０４７５１４７Ａ１には、物品を縦に収容した状態でディスペンサーを使用するようにしたカートンが開示されている。このカートンは、瓶を２列にして複数収容し、カートンの一端部の角部を取り除いて開口部を形成するようになっている。このカートンでは、角部に形成した開口部から瓶を上方へ抜き取ることができ、カートンの奥の方の瓶は、カートンの他端部の角部を取り除いて形成した開口部から抜き取るようになっている。
【０００４】
【特許文献１】ＥＰ特許出願公開０４７５１４７Ａ１（図８）
【発明の開示】
【発明が解決しようとする課題】
【０００５】
上記のようなカートンを例えば冷蔵庫に収納した場合、奥の方の瓶を取り出すためには、冷蔵庫からカートンを取り出し、奥の方にあった角部を取り除いて前後を反転させて再度冷蔵庫に収納するという作業が必要となる。消費者にとっては、そのような作業は煩雑であり、また、その際に瓶が倒れることが想定されることから使い難いという問題がある。
【０００６】
したがって、本発明は、一つの物品を取り出した後に次の物品がディスペンサー側へ移動することができ、煩雑な作業を行うことなく物品を一つずつ容易に取り出すことができるディスペンサー付きパッケージを提供することを目的としている。
【課題を解決するための手段】
【０００７】
本発明は、カートンと、このカートン内に収容される複数の柱状物品とからなるパッケージであって、上記柱状物品は、横にした状態で一段に配列され、上記カートンは横になった上記柱状物品の側面を支持する底壁と、この底壁の側縁に接続された相対向する一対の側壁と、これら側壁どうしを接続する頂壁と、上記頂壁、底壁、および一対の側壁で構成される筒状体の前端を構成する前壁と、筒状体の後端を構成する後壁と、上記前端に形成されて上記柱状物品を上記カートンから取り出すのに使用されるディスペンサーと、上記カートンに取り付けられて上記カートンを上記前端に向かって傾斜させる傾斜手段とを備え、上記ディスペンサーは上記柱状物品のうち少なくとも一つをカートンから取り出すのに可能な大きさの開口であり、この開口は、上記前壁、頂壁、一対の側壁のそれぞれの一部から構成される分離部を上記カートンから切離することにより形成され、上記傾斜手段は切離された上記分離部により構成されていることを特徴としている。
【０００８】
上記構成のディスペンサー付パッケージにあっては、傾斜手段によってカートンが前端に向かって傾斜させられるから、内部の物品は先端側つまり開口側へ自重で付勢される。したがって、物品を開口から取り出すと後ろ側の物品が開口の所へ転動するので、物品を一つずつ順番に取り出すことができる。
【０００９】
分離部は、側壁および底壁を挟むように取り付けられることが望ましく、これにより、分離部がカートンから離脱し難くなる。しかしながら、物品が自重によって開口側へ転動する際に、カートンが振動して分離部の位置がずれることが想定される。そこで、底壁および分離部に、両者の相対的位置を保持するための保持手段を設けることが望ましい。具体的には、保持手段は、分離部に設けられた凸部と、底壁および前壁後壁のいずれかまたは両者の境界に設けられて凸部が挿入されるスリットとを備えることができる。
【００１０】
分離部は、手で破断可能な弱化線によって区画される。弱化線は、例えばミシン目やプレス型押しで薄くした線で構成することができる。弱化線は、カートンの後端側または先端側へ突出する破断起点部を備えることが望ましい。この破断起点部を指で押すことにより破断を容易に開始させることができる。また、破断起点部を後端側へ突出するように設けることにより、分離部を分離した後に破断起点部のあとに残った凹部から物品に指を掛けて容易に取り出すことができる。破断起点部は、使用者の３本の指で把持できるように頂壁および側壁にそれぞれ設けられていることが望ましい。
【００１１】
ところで、分離部を側壁および底壁を挟むように安定して取り付けるためには、分離部の幅は側壁どうしの幅よりも広いことが望ましい。そこで、分離部のうち前壁で構成された部分は、カートンから切離されることにより中央から拡開可能となることが望ましい。より具体的には、分離部の一部を構成する前壁を、一対の側壁に折曲げ自在にそれぞれ接続された一対のパネルで構成し、パネルの縁部どうしを突き合わせて前壁を閉じる。そして、分離部の前壁部分では、頂壁側のみにおいてパネルどうしが互いに接続されるようにし、底壁側ではパネルどうしが互いに拡開できるようにする。
【発明の効果】
【００１２】
本発明のディスペンサー付パッケージは、横にした柱状物品の側面を支持する底壁パネル１２と、相対向する一対の側壁パネル１４，１８と、頂壁パネル１６と、頂壁パネル、底壁パネル、および側壁パネルで構成される筒状体の前端を構成する前壁パネルと、前端に形成されたディスペンサーＤと、カートンに取り付けられてカートンを前端に向かって傾斜させる傾斜手段とを備えており、煩雑な作業を行うことなく物品を一つずつ容易に取り出すことができる。
【発明を実施するための最良の形態】
【００１３】
以下、本発明の実施形態について図１〜図９を参照しながら説明する。 
図１には、缶などの物品を複数収容するためのカートンを形成するためのものであって、ボール紙またはそれに類する折曲げ自在なシート材から作成されたブランク１０ａが示されている。ブランク１０ａは、底壁パネル１２と、第１側壁パネル１４と、頂壁パネル１６と、第２側壁パネル１８と、糊代フラップ２０とを備え、これらは折目線２２，２４，２６，２８に沿って折曲げ自在に連続的に接続されている。これらパネル１２〜１８により矩形の筒状体が形成され、それらパネル１２〜１８の縁部には、筒状体の開口部を閉塞する端壁を形成するための各種パネルおよびフラップが接続されている。なお、全ての図において左右のパネルおよび折目線には「ａ」〜「ｃ」の添え字を付してあり、左右のものが同等の構成の場合には一方のみについて説明する。
【００１４】
後端側（図１において左側）の端壁は、底壁パネル１２に折目線３１ａを介して折曲げ自在に接続された第１端壁パネル３２ａと、頂壁パネル１６に折目線３５ａを介して折曲げ自在に接続された第２端壁パネル３６ａとを備えている。また、端壁は、第１側壁パネル１４に折目線３３ａを介して折曲げ自在に接続された第１支持パネル３４ａと、第２側壁パネル１８に折目線３７ａを介して折曲げ自在に接続された第２支持パネル３８ａとを備えている。
【００１５】
後端側の第２端壁パネル３６ａには、カートンを組み立てた状態で第１端壁パネル３２ａ側へ突出する糊代フラップ４４が形成されている。一方、先端側の第２端壁パネル３６ｂにはそのようなフラップはなく、カートンを組み立てた状態で第１端壁パネル３２ｂと第２端壁パネル３６ｂの縁部どうしが互いに接するか近接するようになっている。
【００１６】
図１に示すように、第１端壁パネル３２ａと底壁パネル１２とを接続する折目線３１ａおよび第２端壁パネル３６ａと頂壁パネル１６とを接続する折目線３５ａは、外側へ向けて湾曲している。これにより、カートンを組み立てたときに端壁の下端部および上端部が缶等の物品の外周面に沿うように外側へ膨らみ、物品をしっかりと保持する。
【００１７】
本実施形態のカートンの先端側には、頂壁パネル１６および一対の第１、第２側壁パネル１４，１８の一部で構成されるディスペンサーＤが設けられている。ディスペンサーＤは、図２に示す塵取り状の分離部Ｔを頂壁パネル１６および一対の第１、第２側壁パネル１４，１８が形成する角部から切り離すことで形成される。
【００１８】
図１に示すように、分離部Ｔは、第１、第２側壁パネル１４，１８の一部で構成されたパネル６４，６８と、頂壁パネル１６の一部で構成されたパネル６６とを備えている。また、分離部Ｔは、第１、第２支持パネル３４ｂ，３８ｂの一部で構成されたパネル６４ｂ，６８ｂを備え、第２端壁パネル３６ｂは、パネル６４ｂ，６８ｂによってパネル６６側で接続される。パネル６４，６６，６８は、ミシン目またはプレス型押しで薄くした線で構成される弱化線６２によって第１、第２側壁パネル１４，１８および頂壁パネル１６に接続されている。弱化線６２は、図２に示す塵取り状の分離部Ｔを形成するような形状とされ、カートンから分離部Ｔを切離することによって図３に示す開口Ｏが形成される。
【００１９】
図１に示すように、第１、第２側壁パネル１４，１８と頂壁パネル１６には、分離部Ｔを切離する際の破断の起点となる破断起点部７０ａ，７０ｂ，７０ｃが弱化線６２から後端側へ突出するように形成されている。破断起点部７０ａ，７０ｂ，７０ｃは、ミシン目やプレス型押しで薄くした破断し易い線であり、使用者の薬指、人差指および親指の位置に配置されている。したがって、使用者は、破断起点部７０ａ，７０ｂ，７０ｃを指で押圧すると同時に分離部Ｔを把持することができる。
【００２０】
破断起点部７０ａ，７０ｃの両端部の間には、折目線７２ａ，７２ｃがそれぞれ形成され、破断起点部７０ａ，７０ｃと折目線７２ａ，７２ｃで区画された部分に、折目線７２ａ，７２ｃに沿って折り曲げ可能な指掛けタブ７３ａ，７３ｃが形成されている。また、破断起点部７０ｂの両端部の間には、ミシン目等の弱化線７２ｂが形成され、破断起点部７０ｂと弱化線７２ｂとで区画された部分に、弱化線７２ｂに沿って折り曲げ可能な指掛けタブ７３ｂが形成されている。指掛けタブ７３ｂは、分離部Ｔに残されて次に説明する底壁パネル１２のスリット７４に挿入される。なお、弱化線７２ｂに代えて折目線とすることもできる。
【００２１】
図１に示すように、底壁パネル１２の後端側には、左右方向に延在し両端部で先端側へ屈曲するスリット７４が形成されている。スリット７４の両端の間には折目線７８が形成され、これらスリット７４および折目線７８で区画された部分に、折目線７８に沿って折り曲げ可能な係合タブ７９が形成されている。そして、係合タブ７９を折目線７８に沿って内側へ折り曲げることにより、スリット７４の開口が大きくなり、上記した指掛けタブ７３ｂを簡単に挿入することができる。
【００２２】
図１に示すブランクからカートンを組み立てるために、連続的な折曲げおよび糊付け作業が行われる。折曲げおよび糊付け作業は、直線状の機械ラインでブランクないしカートンを反転または回転させることなく行われる。以下はその手順を示すものであるが、本発明は以下の例に限定されるものではない。
【００２３】
まず、第２側壁パネル１８を折目線２６に沿って折り曲げ、頂壁パネル１６に重ね合わせる。次に、糊代フラップ２０に糊を塗布し、底壁パネル１２を折目線２２に沿って折り曲げて第１側壁パネル１４および頂壁パネル１６に重ね合わせる。これにより、底壁パネル１２の側縁部が糊代フラップ２０に接着され、平らにつぶれた状態のカートンが形成される。この状態から第１、第２側壁パネル１４，１８を、頂壁パネル１６および底壁パネル１２のそれぞれに対して９０°折り曲げ、両端が開口した矩形筒状体を形成する。
【００２４】
続いて、缶Ｃ等の物品を矩形筒状体の両端または一端の開口から内部に挿入する。缶Ｃを転動させ充填した後、筒状体の両端開口を閉じるが、その順番は先端側と後端側のいずれから行っても良く、もちろん同時に行うことも可能である。
【００２５】
後端側の開口を閉じるには、先ず、第１支持パネル３４ａおよび第２支持パネル３８ａを、第１、第２側壁パネル１４，１８のそれぞれに対して内側へ９０°折り曲げ、第１、第２支持パネル３４ａ，３８ａに糊を塗布する。次いで、第２端壁パネル３６ａを頂壁パネル１６に対して内側へ９０°折り曲げ、これを第１、第２支持パネル３４ａ，３８ａに接着する。次いで、第２端壁パネル３６ａの糊代フラップ４４に糊を塗布し、第１端壁パネル３２ａを底壁パネル１２に対して内側へ９０°折り曲げ、これを糊代フラップ４４に接着する。
【００２６】
先端側の開口を閉じるには、先ず、第１支持パネル３４ｂおよび第２支持パネル３８ｂを、第１、第２側壁パネル１４，１８のそれぞれに対して内側へ９０°折り曲げ、第１、第２支持パネル３４ｂ，３８ｂに糊を塗布する。次いで、第１、第２端壁パネル３２ｂ，３６ｂを底壁パネル１２および頂壁パネル１６のそれぞれに対して内側へ９０°折り曲げ、これらを第１、第２支持パネル３４ｂ，３８ｂに接着する。こうしてカートンに複数の缶Ｃが荷積みされたパッケージが完成する（図２参照）。
【００２７】
缶Ｃをカートンから取り出すには、指掛けタブ７３ａ，７３ｂ，７３ｃを指で押しながら内部の缶Ｃとともに分離部Ｔを把持する。これにより、各破断起点部７０ａ，７０ｂ，７０ｃで破断が起こる。そして、内部の缶Ｃとともに把持した分離部Ｔを引っ張ると、破断起点部７０ａ，７０ｂ，７０ｃから破断が弱化線６２に沿って伝播し、分離部Ｔがカートンから分離される。こうして、分離部Ｔとともに缶Ｃを取り出すことにより、カートンの先端部に開口Ｏが形成され、その開口Ｏの下側には、分離部Ｔよりも下側の端壁の一部からなるストッパＳが形成される。
【００２８】
次に、分離部Ｔをカートンの後端下部に取り付けてカートンを先端側へ向けて下り勾配に傾斜させ、開口ＯをディスペンサーＤとして機能させる。その際には、指掛けタブ７３ｂをスリット７４に挿入し（図４参照）、パネル６４，６８でカートンの第１、第２側壁パネル１４，１８および底壁パネル１２を挟み込む。この状態でカートンを例えば冷蔵庫等の棚に載置すると、カートンは、先端側（冷蔵庫等の扉側）へ向け下方へ傾斜した姿勢をとる。これにより、カートン内の缶Ｃは自重によって開口Ｏ側へ転動し、ストッパＳに当接して停止する。この状態で最も先端側の缶Ｃは開口Ｏに露出されるので、開口から次の缶Ｃを取り出すことができる。
【００２９】
また、カートンから分離部Ｔを切離すると指掛けタブ７３ａ，７３ｂ，７３ｃのあとに凹部８２が形成されるので（図３参照）、それら凹部８２から指を挿入して缶Ｃを簡単に把持することができる。
【００３０】
分離部Ｔにカートンの底部を押し込むと、カートンの底壁パネル１２と第１、第２側壁パネル１４，１８とで形成された角がきっちりと嵌るので、分離部Ｔがカートンに安定して取り付けられる。また、分離部Ｔの指掛けタブ７３ｂは、スリット７４内で係合タブ７９に押圧されているから、スリット７４から容易に抜け出ることがない。したがって、カートン内の缶Ｃが開口Ｏ側へ滑動し、ストッパＳに当接してカートン全体が振動した場合であっても、分離部Ｔのカートンに対する位置ずれが生じにくい。
【００３１】
以上、本発明の実施形態を説明したが、本発明を逸脱しない範囲でさらに変更を加えることができる。そのような変更例を図６、７に示す。図６には、缶などの物品を複数収容するためのカートンを形成するためのものであって、ボール紙またはそれに類する折曲げ自在なシート材から作成されたブランク１０ｂが示されている。このブランク１０ｂにおいて、図１のブランク１０ａとの同様の点は説明を省略し、変更点のみを説明する。
【００３２】
すなわち、分離部Ｔの第１側壁パネル１４上には、弱化線７２ａ，７５ａに周囲を区切られるとともに、その中央でスリット７７ａにより分離された破断起点パネル７６ａが形成されている。
【００３３】
缶Ｃをカートンから取り出すには、指掛けタブ７３ｂ、スリット７７ａ、７７ｃを指で押しながら内部の缶Ｃとともに分離部Ｔを把持する。これにより、指掛けタブ７３ｂの破断起点部である７０ｂで破断が起こるとともに、スリット７７ａ、７７ｃが押し広げられて７２ａ，７２ｃにおいても破断が起こる。この破断は弱化線６２に沿って伝播し、分離部Ｔがカートンから分離される。こうして、分離部Ｔとともに缶Ｃを取り出すことにより、カートンの先端部に開口Ｏが形成され、その開口Ｏの下側に分離部Ｔよりも下側の端壁の一部からなるストッパＳが形成されるのは前述のとおりである。
【００３４】
分離部Ｔをカートンの後端下部に取り付けてカートンを先端側へ向けて下り勾配に傾斜させ、開口ＯをディスペンサーＤとして機能させるには、指掛けタブ７３ｂをスリット７４に挿入し、パネル６４，６８でカートンの第１、第２側壁パネル１４，１８および底壁パネル１２を挟み込む。
【００３５】
また、本発明のカートンには、図８のブランク１０ｃにおいてＨで示した把持手段を設けることもできる。この把持手段は、頂壁パネル１６上に形成された弱化線８０からなる。８０をカートン内方へ押し破ることで指をカートン内部に挿入し、カートンを把持することができる。この弱化線８０は例えばミシン目やプレス型押しで薄くした線で構成することができる。さらにこの弱化線上に破断起点部が設けられていると破断が容易になるため、好適である。
【００３６】
また、上記実施形態では、図２において、第１端壁パネル３２ｂと第２端壁パネル６６ｂが互いに突き合わせられた縁部に沿った状態で、第１支持パネル３４ｂおよび第２支持パネル３８ｂ上の弱化線６２が形成されている。端壁パネルと支持パネルは互いに接着されているが、第１端壁パネル３２ｂと第２端壁パネル６６ｂは互いに接着されておらず、第１支持パネル３４ｂおよび第２支持パネル３８ｂ上の弱化線６２の破断のみによって、第１端壁パネル３２ｂと第２端壁パネル６６ｂは容易に分離される。
【００３７】
上記の説明で使用した頂、底部、端、先、後、内側、および外側などの方向を表わす用語は、それぞれのパネルをそのような方向に限定するものではなく、単にパネルどうしを互いに区別するためのものにすぎない。折目線という用語は必ずしも単一の折目線を指すものではなく、本発明の範囲を逸脱しない限りにおいて、１または複数の刻み線や、容易に折れたり曲がったりする線であっても良い。 
また、本発明は、発明の範囲から逸脱することなく、種々の配列の物品のカートンに適用することができる。
【図面の簡単な説明】
【００３８】
【図１】本発明の第１実施形態によるカートンを形成するためのカートンブランクの平面図である。
【図２】図１のブランクから形成されたカートンの斜視図である。
【図３】図２に示すカートンから分離部を切離してカートンの後端下部に取り付けた状態を示す斜視図である。
【図４】分離部をカートンに装着する直前の状態を示す斜視図である。
【図５】分離部をカートンに装着した状態を示す斜視図である。
【図６】本発明の他の実施形態によるカートンを形成するためのカートンブランクの平面図である。
【図７】図６のブランクから形成されたカートンの斜視図である。
【図８】把持手段を備えたカートンブランクの平面図である。
【図９】図８のブランクから形成されたカートンの斜視図である。
【符号の説明】
【００３９】
１０ａ，１０ｂ，１０ｃ  ブランク 
１２  底壁パネル 
１４  第１側壁パネル
１６  頂壁パネル
１８  第２側壁パネル
２０  糊代フラップ
３２ａ，３２ｂ  第１端壁パネル
３４ａ，３４ｂ  第１支持パネル
３６ａ，３６ｂ  第２端壁パネル
３８ａ，３８ｂ  第２支持パネル
７０ａ，７０ｂ，７０ｃ  破断起点部 
７３ａ，７３ｂ，７３ｃ  指掛けタブ
７６ａ，７６ｃ  破断起点パネル
７７  スリット
Ｄ  ディスペンサー 
Ｈ  把持手段
Ｓ  ストッパ 
Ｔ  分離部 
【図１】
2005053555.tif 000003
【図２】
2005053555.tif 000004
【図３】
2005053555.tif 000005
【図４】
2005053555.tif 000006
【図５】
2005053555.tif 000007
【図６】
2005053555.tif 000008
【図７】
2005053555.tif 000009
【図８】
2005053555.tif 000010
【図９】
2005053555.tif 000011